(57)【要約】  【課題】  操作部面積およびメータ表示面積を確保しつつ、操作者の有効視界を確保することのできる音響調整卓を提供する。  【解決手段】  音響信号の状態を変更する操作指示を入力させる操作部３２と、前記音響信号の状態を背面の風景が視認できるようにメータ表示部３３ａに表示させる音響信号表示手段とを備えることにより、音響信号の状態を表示するメータ表示部３３ａの背面の風景が視認でき、メータ表示部３３ａによって操作者１００の視界が遮られないので、メータ表示部３３ａおよび操作部３２の面積を小さくすることなく、操作者１００の視界を広げることができ、操作性と視認性とを両立させることができる。【選択図】  図１
2005083985.tif 000002
【特許請求の範囲】
【請求項１】
複数の音響信号が入力される音響信号入力手段と、
入力された前記音響信号の状態を表示する音響信号表示手段と、
前記音響信号の状態を変更するための操作指示を入力する操作指示入力手段と、
入力された前記操作指示に従って前記音響信号の状態を変更する音響信号変更手段とを備え、
前記音響信号表示手段は、この音響信号表示手段の背面風景を透過することを特徴とする音響調整卓。
【請求項２】
前記音響信号表示手段は、この音響信号表示手段の背面風景を透過する光透過性部材と、前記光透過性部材に設けた光透過性のある表示フィルムと、前記表示フィルムに前記音響信号の状態を表示させるフィルム表示手段とを備えたことを特徴とする請求項１に記載の音響調整卓。
【請求項３】
前記音響信号表示手段は、この音響信号表示手段の背面風景を透過する光透過性部材と、前記光透過性部材に前記音響信号の状態を投影させる音響信号投影手段とを備えたことを特徴とする請求項１に記載の音響調整卓。
【請求項４】
前記音響信号表示手段は、入力された前記音響信号の状態を外部の光透過性部材に投影させる音響信号投影手段を備えたことを特徴とする請求項１に記載の音響調整卓。
【請求項５】
複数の音響信号が入力される音響信号入力手段と、
入力された前記音響信号の状態を表示する音響信号表示手段と、
前記音響信号の状態を変更するための操作指示を入力する操作指示入力手段と、
入力された前記操作指示にしたがって前記音響信号の状態を変更する音響信号変更手段と、
前記音響信号表示手段がこの音響信号表示手段の背面の映像を撮像する撮像手段とを備え、
前記音響信号表示手段は、前記撮像手段が撮像した映像を前記音響信号の状態とともに表示することを特徴とする音響調整卓。
【発明の詳細な説明】
【技術分野】
【０００１】
本発明は、操作部面積およびメータ表示面積を確保しつつ、操作者の有効視界を確保した音響調整卓に関する。
【背景技術】
【０００２】
従来、多数のオーディオ信号を入力して所望の状況に混合および分配し、スピーカなどに出力する音響調整卓がある。
【０００３】
このような従来の音響調整卓の操作部スイッチ配置図を、図１０に示す。図１０に示すように、従来の音響調整卓は、複数の入力信号に対応して設けられる複数のアサイン設定スイッチ部１１と、予め定めたモードの選択を入力信号に対し行うモード選択スイッチ部１２とを備え、アサイン設定スイッチ部１１とモード選択スイッチ部１２との操作により多数のオーディオ信号を所望の状況に混合する（例えば特許文献１参照）。
【０００４】
また、音響調整卓のメータ表示部には、主として音声レベルを表示するが、チャンネルアサイン情報などの表示要望も強く、その表示面積は大型化する傾向にある。
【特許文献１】特開２００２−１５２８７６号公報
【発明の開示】
【発明が解決しようとする課題】
【０００５】
しかしながら、舞台等の音響を調整する音響調整卓の使用においては、音響調整卓の操作者が、舞台上の演技を見ながら音響調整卓の操作を行う必要があるため、音響調整卓のメータ表示部を大きくしてしまうと、操作者の視界を遮ってしまうという問題があった。
【０００６】
このため、図１１に示すように、音響調整卓２００ａのメータ表示部２３１の高さを抑えると、メータ表示部２３１の表示面積が小さくなり、上記多数の情報の表示要望に応えられなくなるばかりではなく、メータ視認性が悪くなり、表示可能情報量も少なくなってしまう、すなわち、有効視界Ｘ１は大きくなるがメータ視界Ｙ１が小さくなるという問題があった。
【０００７】
また、図１２に示すように、音響調整卓２００ｂ全体の高さを抑えるために、メータ表示部２３２の下部を音響調整卓２００ｂの操作部２２２に食い込ませることも考えられる。しかしながら、メータ表示部２３２の下部を音響調整卓２００ｂの操作部２２２に食い込ませた場合、操作面自体の面積が小さくなるため操作性が低下する、すなわち、有効視界Ｘ２を大きく保ちつつメータ視界Ｙ２も大きくなるが操作部２２２が小さくなるという問題があった。
【０００８】
本発明は、このような問題を解決するためになされたもので、音響調整卓の操作性と視認性を両立させる音響調整卓を提供するものである。
【課題を解決するための手段】
【０００９】
本発明の音響調整卓は、複数の音響信号が入力される音響信号入力手段と、入力された前記音響信号の状態を表示する音響信号表示手段と、前記音響信号の状態を変更するための操作指示を入力する操作指示入力手段と、入力された前記操作指示に従って前記音響信号の状態を変更する音響信号変更手段とを備え、前記音響信号表示手段は、この音響信号表示手段の背面風景を透過することを特徴とした構成を有している。
【００１０】
この構成により、音響信号の状態を表示する表示部の背面の風景が視認でき、音響調整卓の表示部によって操作者の視界が遮られないので、表示部および操作部の面積を小さくすることなく、操作者の視界を広げることができ、操作性と視認性とを両立させることができる。
【００１１】
また、本発明の音響調整卓は、前記音響信号表示手段は、この音響信号表示手段の背面風景を透過する光透過性部材と、前記光透過性部材に設けた光透過性のある表示フィルムと、前記表示フィルムに前記音響信号の状態を表示させるフィルム表示手段とを備えたことを特徴とした構成を有している。
【００１２】
この構成により、表示フィルムに表示された音響信号の状態を観ることができ、また、表示フィルムおよび光透過性部材は、透明であるので、音響信号の状態が表示された後ろの風景を視認することができ、広くて操作性の良い操作部と、大きく見やすい表示部との両立をさせることができる。
【００１３】
さらに、本発明の音響調整卓は、前記音響信号表示手段は、この音響信号表示手段の背面風景を透過する光透過性部材と、前記光透過性部材に前記音響信号の状態を投影させる音響信号投影手段とを備えたことを特徴とした構成を有している。
【００１４】
この構成により、音響信号投影手段により光透過性部材上に表示された音響信号の状態を観ることができ、また、光透過性部材は透明であるので、情報が表示されている部分以外は、後ろの風景を視認することができ、広くて操作性の良い操作部と、見やすい表示部とを使用しながら、音響調整卓を操作することができる。
【００１５】
さらに、本発明の音響調整卓は、前記音響信号表示手段は、入力された前記音響信号の状態を外部の光透過性部材に投影させる音響信号投影手段を備えたことを特徴とした構成を有している。
【００１６】
この構成により、音響信号投影手段により外部の光透過性部材に表示された音響信号の状態を観ることができ、また、外部の光透過性部材の背面も観ることができ、操作部の操作面を大きく保ちながら、音響信号の状態を表示する表示面積も大きく取れ、操作性と視認性を両立させた音響調整卓を提供することができる。
【００１７】
さらに、本発明の音響調整卓は、複数の音響信号が入力される音響信号入力手段と、入力された前記音響信号の状態を表示する音響信号表示手段と、前記音響信号の状態を変更するための操作指示を入力する操作指示入力手段と、入力された前記操作指示にしたがって前記音響信号の状態を変更する音響信号変更手段と、前記音響信号表示手段がこの音響信号表示手段の背面の映像を撮像する撮像手段とを備え、前記音響信号表示手段は、前記撮像手段が撮像した映像を前記音響信号の状態とともに表示することを特徴とした構成を有している。
【００１８】
この構成により、音響信号表示手段により音響信号が表示される表示面により死角になってしまう範囲を、撮像手段が撮像し、この撮像した映像を音響信号表示手段が音響信号の状態とともに表示するので、操作者からの死角がなく、操作部の操作面積、音響信号の状態を表示する表示面積を大きく保ちつつ、広い視野を確保することができる。
【発明の効果】
【００１９】
本発明は、音響信号の状態を背面の風景が視認できるように表示させる音響信号表示手段を設けることにより、音響信号の状態を表示する表示部の背面の風景が視認でき、音響調整卓の表示部によって操作者の視界が遮られないので、表示部および操作部の面積を小さくすることなく、操作者の視界を広げることができ、操作性と視認性とを両立させることができるという効果を有する音響調整卓を提供することができるものである。
【発明を実施するための最良の形態】
【００２０】
以下、本発明の実施の形態の音響調整卓について、図面を用いて説明する。
（第１の実施の形態）
本発明の第１の実施の形態に係る音響調整卓の側面図を、図１に示す。
【００２１】
図１に示すように、本発明の第１の実施の形態における音響調整卓３０ａは、音響調整卓本体部３１と、操作者１００が操作し、音響調整卓３０ａに操作指示を入力させる操作部３２と、音量等の音響信号の状態を表示するメータ表示部３３ａとを備えている。
【００２２】
また、図２に、本発明の第１の実施の形態における音響調整卓３０ａの機能ブロック図を示す。
【００２３】
図２に示すように、音響調整卓３０ａは、複数の音響信号を入力させる音響信号入力部４１と、メータ表示部３３ａに設置され、音響信号の状態を背面の風景が視認できるように表示させる音響信号表示部４３と、操作者１００の操作指示を入力させる操作指示入力部４４と、前記操作指示にしたがって前記音響信号の状態を変更させる信号制御部（音響信号変更手段）４５と、前記音響信号を出力させる音響信号出力部４６とを備えている。
【００２４】
また、音響信号入力部４１は、音を収音するマイクロホン、音楽や効果音等が記憶された音響記憶部から音響信号を入力し、信号制御部４５に出力するものである。音響信号表示部４３は、信号制御部４５に制御された音響信号を、背面の風景が視認できるように表示するものであり、たとえば、背面透過型液晶等である。操作指示入力部４４は、操作者１００から入力された操作指示を信号制御部４５に出力するものである。
【００２５】
信号制御部４５は、音響信号入力部４１から音響信号を入力し、操作指示入力部４４から操作指示を入力して、前記操作指示にしたがって前記音響信号を加工するとともに、前記操作指示にしたがって制御を行い、前記加工した音響信号を前記制御に従い、音響信号表示部４３および音響信号出力部４６に出力するものである。音響信号出力部４６は、新行制御部４５から前記加工された音響信号を入力し、音を再生するスピーカや音響信号を記憶する音響記憶部に出力するものである。
【００２６】
また、マイクロホンや音響信号記憶部から音響信号入力部４１に入力される音、スピーカや音響信号記憶部に音響信号出力部４６から出力される音、および本音響調整卓３０ａ内で制御、加工される音には、音声信号のほか様々な音が含まれるが、以下では、単に音響信号ということもある。
【００２７】
次に、図３に、音響調整卓３０ａが設置される音響調整室と、舞台の設置位置を示す。
【００２８】
図３に示すように、操作者１００は、音響調整卓３０ａが設置されている音響調整室１１０の窓から舞台１２０の全体を見渡し、舞台１２０上で行われる演技等を見ながら、舞台の進行状況に応じて音響調整卓３０ａを操作し、音響を調整する。したがって、操作者１００からは舞台１２０の前端まで見渡せるようにする。
【００２９】
また、図４に、音響調整卓３０ａの操作部３２の一例を示す。図４に示すように、音響調整卓３０ａの操作部３２は、多数の操作子が並んでおり、操作者１００は、このような多数の操作子を舞台の進行にあわせて、瞬時に操作しなければならない。
【００３０】
次に、本実施の形態における音響調整卓３０ａの音響調整動作について、説明する。図５は、本実施の形態における音響調整卓３０ａの音響調整動作を示すフローチャートである。また、以下の説明では、音響信号の状態表示は、音響信号の音量を表示するものとして説明する。
【００３１】
図５に示すように、電源投入により音響調整卓３０ａの音響調整動作が開始される（Ｓ１０）。次に、舞台１２０上のマイクや音響記憶部から音声や音楽が音響信号入力部４１から入力される（Ｓ１１）と、操作指示入力部４４から操作指示が入力されたか否かを判断する（Ｓ１２）。ここで、操作指示が入力されていなければ、信号制御部４５を介して、入力した音響信号の音量をそのまま音響信号表示部４３に、メータ表示部３３ａの背面の風景が視認できるように表示する（Ｓ３１）。また、信号制御部４５を介して、入力した音響信号をそのまま音響信号出力部４６から外部に出力する（Ｓ３２）。
【００３２】
また、操作指示の入力判断（Ｓ１２）において、操作指示が入力されていれば、この操作指示が動作終了指示であるか否かを判定し（Ｓ２１）、動作終了指示であれば、音響調整卓３０ａの動作処理を終了する。入力された操作指示が終了指示でなければ、音響信号入力部４１から入力された音響信号を、操作指示入力部４４から入力された操作指示に従って制御し、音量調節および出力方法を決定する（Ｓ２２）。また、このとき、入力された操作指示によっては、入力した音響信号の合成や削除も行うが、ここでは詳述しない。
【００３３】
次に、信号制御部４５により音響信号が調整されると、音響信号表示部４３に調整された音響信号の音量を、メータ表示部３３ａの背面の風景が視認できるように表示する（Ｓ３１）。このとき、操作者１００が観ることができる範囲は、有効視界Ａ（図１参照）のみならず、メータ表示部３３ａの背面の風景となる視界Ｂ（図１参照）も観ることができる。また、信号制御部４５を介して、調整された音響信号は、入力された操作指示に従って音響信号出力部４６から外部に出力する（Ｓ３２）。
【００３４】
以上の処理により、本発明の実施の形態によれば、入力された音響信号の音量（音響信号の状態）が表示されるときに、メータ表示部３３ａの背面の風景が視認できるので、音響調整卓３０ａのメータ表示部３３ａによって操作者１００の視界が遮られることがなく、操作者１００の視界を広く保って舞台１２０上の演技を観ながら、音響調整操作を行うことができる。
（第２の実施の形態）
次に、本発明の第２の実施の形態の音響調整卓について説明する。図６に、本実施の形態における音響調整卓の機能ブロック図を示す。
【００３５】
図６に示すように、本実施の形態における音響調整卓３０ｂは、音響信号表示部４３が、背面の風景が視認できる光透過性部材５１と、光透過性部材５１に設けた光透過性のある表示フィルム５２と、表示フィルム５２に前記音響信号の状態を表示させるフィルム表示部５３とを備えている。
【００３６】
また、他の構成は、上記第１の実施の形態と同様であるので、説明を省略する。
【００３７】
さらに、光透過性部材５１は、例えば、透明なガラスやプラスチックである。表示フィルム５２としては、例えば、ホログラム光学素子を用いることができる。
【００３８】
このような構成により、信号制御部４５で制御された音響信号は、フィルム表示部５３によって表示フィルム５２に表示され、操作者１００が音響信号の状態を観ることができる。また、表示フィルム５２および光透過性部材５１は、透明であるので、メータ表示部３３ａの後ろの風景を視認することができ、広くて操作性の良い操作部３２、見やすいメータ表示部３３ａを使用しながら、舞台１２０上の状況も観ることができる。
（第３の実施の形態）
次に、本発明の第３の実施の形態の音響調整卓について説明する。図７に、本実施の形態における音響調整卓の側面図を示す。
【００３９】
図７に示すように、本実施の形態における音響調整卓３０ｃは、音響信号表示部４３が、メータ表示部３３ｃとして使用される背面の風景が視認できる光透過性部材と、音響信号の状態を投影させるプロジェクター（音響信号投影手段）５４ａとを備えている。
【００４０】
また、他の構成は、上記第１の実施の形態と同様であるので、説明を省略する。
【００４１】
さらに、光透過性部材は、上記第２の実施の形態と同様に、透明なガラスやプラスチックである。プロジェクター５４ａは、光透過性部材に信号制御部４５により制御された音響信号の状態を投影させる。
【００４２】
したがって、操作者１００は、プロジェクター５４ａにより光透過性部材５１上に表示された音響信号の状態を観ることができ、また、光透過性部材５１は透明であるので、情報が表示されている部分以外は、メータ表示部３３ｃの後ろの風景を視認することができ、広くて操作性の良い操作部３２、見やすいメータ表示部３３ｃを使用しながら、舞台１２０上の状況も観ることができる。
（第４の実施の形態）
次に、本発明の第４の実施の形態の音響調整卓について説明する。図８に、本実施の形態における音響調整卓の側面図を示す。
【００４３】
図８に示すように、本実施の形態における音響調整卓３０ｄは、音響信号表示部４３が、音響信号の状態を投影させるプロジェクター（音響信号投影手段）５４ｂを備えている。
【００４４】
また、他の構成は、上記第１の実施の形態と同様であるので、説明を省略する。
【００４５】
プロジェクター５４ｂは、信号制御部４５により制御された音響信号の状態を、外部の光透過性部材、ここでは、音響調整室の窓１１１に投影させる。
【００４６】
したがって、操作者１００は、プロジェクター５４ｂにより音響調整室の窓１１１に表示された音響信号の状態を観ることができ、また、音響調整室の窓１１１から舞台も観ることができ、操作部３２の操作面を大きく保ちながら、音響信号の状態を表示する表示面積も大きく取れ、舞台上の状況も観ることができる。
（第５の実施の形態）
次に、本発明の第４の実施の形態の音響調整卓について説明する。図９に、本実施の形態における音響調整卓の側面図を示す。
【００４７】
図９に示すように、本実施の形態における音響調整卓３０ｅは、メータ表示部３３ｅに音響信号の状態を表示させる音響信号表示部と、メータ表示部３３ｅの背面の映像を撮像するカメラ（撮像手段）４８とを備えている。
【００４８】
また、他の構成は、上記第１の実施の形態と同様であるので、説明を省略する。さらに、メータ表示部３３ｅは、上記第１の実施の形態のメータ表示部３３ａとは、背面が透けて見えない点が異なる。
【００４９】
カメラ４８は、メータ表示部３３ｅの背面に設置され、メータ表示部３３ｅにより操作者１００の死角になってしまう範囲の映像を撮像するものである。音響信号表示部は、カメラ４８が撮像した映像を、信号制御部４５に制御された音響信号とともに、メータ表示部３３ｅに表示させるものである。
【００５０】
したがって、操作者１００は、メータ表示部３３ｅにより死角になってしまう範囲を、カメラ４８に撮像され、音響信号表示部によってメータ表示部３３ｅに表示された映像を観ることができ、操作部３２の操作面を大きく保ちながら、音響信号の状態を表示する表示面積も大きく取れ、舞台上の状況も観ることができる。
【産業上の利用可能性】
【００５１】
以上のように、本発明にかかる音響調整卓は、音響信号の状態を背面の風景が視認できるように表示させる音響信号表示手段を設けることにより、音響信号の状態を表示する表示部の背面の風景が視認でき、音響調整卓の表示部によって操作者の視界が遮られないので、表示部および操作部の面積を小さくすることなく、操作者の視界を広げることができ、操作性と視認性とを両立させることができるという効果を有し、操作部面積およびメータ表示面積を確保しつつ、操作者の有効視界を確保した音響調整卓等として有用である。
【図面の簡単な説明】
【００５２】
【図１】本発明の第１の実施の形態における音響調整卓を示す側面図
【図２】本発明の第１の実施の形態における音響調整卓の機能ブロック図
【図３】音響調整卓が設置される音響調整室と舞台の設置位置を示す図
【図４】音響調整卓の操作部を示すブロック図
【図５】本発明の第１の実施の形態における音響調整卓の音響調整動作を示すフローチャート
【図６】本発明の第２の実施の形態における音響調整卓の機能ブロック図
【図７】本発明の第３の実施の形態における音響調整卓を示す側面図
【図８】本発明の第４の実施の形態における音響調整卓を示す側面図
【図９】本発明の第５の実施の形態における音響調整卓を示す側面図
【図１０】従来の音響調整卓の操作部スイッチ配置図
【図１１】従来の音響調整卓において、メータ表示部の高さを抑えた音響調整卓を示す側面図
【図１２】従来の音響調整卓において、メータ表示部の下部を操作部に食い込ませた場合の音響調整卓を示す側面図
【符号の説明】
【００５３】
１１  アサイン設定スイッチ部
１２  モード選択スイッチ部
３０ａ、３０ｂ、３０ｃ、３０ｄ、３０ｅ  音響調整卓
３１  音響調整卓本体部
３２  操作部
３３ａ、３３ｃ、３３ｅ  メータ表示部
４１  音響信号入力部
４３  音響信号表示部
４４  操作指示入力部
４５  信号制御部（音響信号変更手段）
４６  音響信号出力部
４８  カメラ（撮像手段）
５１  光透過性部材
５２  表示フィルム
５３  フィルム表示部
５４ａ、５４ｂ  プロジェクター（音響信号投影手段）
１００  操作者
１０１  操作者
１１０  音響調整室
１１１  窓
１２０  舞台
２００ａ、２００ｂ  音響調整卓
２１１、２１２  音響調整卓本体部
２２１、２２２  操作部
２３１、２３２  メータ表示部
【図１】
2005083985.tif 000003
【図２】
2005083985.tif 000004
【図３】
2005083985.tif 000005
【図４】
2005083985.tif 000006
【図５】
2005083985.tif 000007
【図６】
2005083985.tif 000008
【図７】
2005083985.tif 000009
【図８】
2005083985.tif 000010
【図９】
2005083985.tif 000011
【図１０】
2005083985.tif 000012
【図１１】
2005083985.tif 000013
【図１２】
2005083985.tif 000014